(57)【要約】  【課題】足に巻き付けて飾りにしたり、靴下がずり落ちたりするのを留める足飾り兼用靴下留めに関し、足の任意の高さに取付けて飾ることができ、しかも靴下のずり落ち防止にも兼用可能な足飾り兼用靴下留めを実現する。  【解決手段】足に巻き付けて取付けた状態でリング状となるリング状体と、該リング状体から垂下するように取付けた多数の垂下体を有する足飾り兼用靴下留めであり、このリング状体を靴下の上から取付けると、靴下のずり落ち防止になるし、歩いたりして足が動くたびに多数の垂下体が揺れ動くことによって、美しく見え、足飾りとして機能する。【選択図】          図３
0003116072.tif 000002
【実用新案登録請求の範囲】
【請求項１】
足に巻き付けて取付けた状態でリング状となるリング状体と、該リング状体から垂下するように取付けた多数の垂下体を有することを特徴とする足飾り兼用靴下留め。
【請求項２】
前記の垂下体が短冊状体であることを特徴とする請求項１に記載の足飾り兼用靴下留め。
【請求項３】
前記の各垂下体の下端にも、足に巻き付けて取付けた状態でリング状となるリング状体が設けてあることを特徴とする請求項１または請求項２に記載の足飾り兼用靴下留め。
【請求項４】
前記のリング状体は、足に巻き付けて両端同士を連結固定することでリング状となる形状又は当初からリング状であることを特徴とする請求項１、請求項２または請求項３に記載の足飾り兼用靴下留め。
【考案の詳細な説明】
【技術分野】
【０００１】
本考案は、足に巻き付けて飾りにしたり、靴下がずり落ちたりするのを留める足飾り兼用靴下留めに関する。
【背景技術】
【０００２】
実開平６-61902号において、取り外しが簡単で、足首の保温効果を有すると共に外観上体裁の良い足首用飾り具として、足首に巻いて両端同士を係合させる構成が提案されているが、足首又は足首より下側の飾り機能専用であって、靴下がずり落ちたりするのを防止することはできない。
【０００３】
一方、ゴム糸等の弾性糸を挿入することなく、緩やかな伸びにして履き心地がよく、ずり落ちを防止した靴下が特開2003-64501号において提案されており、また特開平８-41703号では、いわゆる男子の靴下はずり落ちやすく、しかも落ちると足元で回り、不便なため、これを解消すべく、足首のちょうど靴をはいたときの上程度にもう一つのゴム帯を内側に付設するという提案がなされている。
【特許文献１】実開平６-61902
【特許文献２】特開2003-64501
【特許文献３】特開平８-41703
【考案の開示】
【考案が解決しようとする課題】
【０００４】
しかしながら、これら２件は靴下自体にずり落ち防止のための改良を加えたものであって、すでに弾力を失い、ずり落ち防止が不能となった靴下に対してずり落ちう防止できる提案ではない。また、足飾りの機能は全く備えていない。これに対し、前者の足首用飾り具は、足首の飾り機能は備えているが、足首又は足首より下側の飾り機能に限られるので、任意の位置を飾ることはできない。しかも、足首又は足首より下側に巻き付けて使用するので、靴下のずり落ちを防止することは出来ない。                  
【０００５】
本考案の技術的課題は、このような問題に着目し、足の任意の高さに取付けて飾ることができ、しかも靴下のずり落ち防止にも兼用可能な足飾り兼用靴下留めを実現することにある。
【課題を解決するための手段】
【０００６】
本考案の技術的課題は次のような手段によって解決される。請求項１は、足に巻き付けて取付けた状態でリング状となるリング状体と、該リング状体から垂下するように取付けた多数の垂下体を有することを特徴とする足飾り兼用靴下留めである。各垂下体の構成は任意である。このように、足に巻き付けて取付けた状態でリング状となるリング状体を有しているため、このリング状体を靴下の上から取付けると、靴下のずり落ち防止にもなる。また、該リング状体から垂下するように取付けた多数の垂下体を有するため、歩いたりして足が動くたびに多数の垂下体が揺れ動くことによって、美しく見え、足飾りとして機能する。しかも、リング状体はどの高さにでも取付け可能なため、任意の高さを飾ることができる。各垂下体の間から靴下がチラチラ見えるので、装飾の相乗効果は大きい。
【０００７】
請求項２は、前記の垂下体が短冊状体であることを特徴とする請求項１に記載の足飾り兼用靴下留めである。このように、前記の垂下体が短冊状体であるため、簡易な構成でありながら、装飾効果は大きい。しかも、それぞれの短冊状垂下体の色彩や模様などを変えたり、装飾の仕方は無数にあり、楽しみ方は自由自在で無限である。
【０００８】
請求項３は、前記の各垂下体の下端にも、足に巻き付けて取付けた状態でリング状となるリング状体が設けてあることを特徴とする請求項１または請求項２に記載の足飾り兼用靴下留めである。このように、前記の各垂下体の下端にも、足に巻き付けて取付けた状態でリング状となるリング状体が設けてあると、靴下の上から取付けた場合、靴下の上下２段でリング状体が巻かれた状態となり、ずり落ち防止効果が大きい。また、下段のリング状体のみ靴下の上から取付け、上段のリング状体は素足の上に取付けた場合には、上段のリング状体に下段のリング状体が支持されることによっても、靴下のずり落ち防止として機能する。
【０００９】
請求項４は、前記のリング状体は、足に巻き付けて両端同士を連結固定することでリング状となる形状又は当初からリング状であることを特徴とする請求項１、請求項２または請求項３に記載の足飾り兼用靴下留めである。このように、前記のリング状体は、足に巻き付けて両端同士を連結固定することでリング状となる形状でもよいし、また当初からリング状であってもよいので、製品としては２種類可能なため、消費者は好みの構成を選択して購入し、使用できる。したがって、靴下のずり落ち防止の上でも、また装飾効果の上でも自由度が増える。
【００１０】
以上の足飾り兼用靴下留めは、片足に１個のみ用いるとは限らず、２個以上使用してもよい。その際、２個以上重ねて用いてもよいし、上下にずらして用いてもよい。その場合は、靴下のずり落ち防止効果も、装飾効果も増えることになる。
【考案の効果】
【００１１】
請求項１のように、足に巻き付けて取付けた状態でリング状となるリング状体を有しているため、このリング状体を靴下の上から取付けると、靴下のずり落ち防止にもなる。また、該リング状体から垂下するように取付けた多数の垂下体を有するため、歩いたりして足が動くたびに多数の垂下体が揺れ動くことによって、美しく見え、足飾りとして機能する。しかも、リング状体はどの高さにでも取付け可能なため、任意の高さを飾ることができる。各垂下体の間から靴下がチラチラ見えるので、装飾の相乗効果は大きい。
【００１２】
請求項２のように、前記の垂下体が短冊状体であるため、簡易な構成でありながら、装飾効果は大きい。しかも、それぞれの短冊状垂下体の色彩や模様などを変えたり、装飾の仕方は無数にあり、楽しみ方は自由自在で無限である。
【００１３】
請求項３のように、前記の各垂下体の下端にも、足に巻き付けて取付けた状態でリング状となるリング状体が設けてあると、靴下の上から取付けた場合、靴下の上下２段でリング状体が巻かれた状態となり、ずり落ち防止効果が大きい。また、下段のリング状体のみ靴下の上から取付け、上段のリング状体は素足の上に取付けた場合には、上段のリング状体に下段のリング状体が支持されることによっても、靴下のずり落ち防止として機能する。
【００１４】
請求項４のように、前記のリング状体は、足に巻き付けて両端同士を連結固定することでリング状となる形状でもよいし、また当初からリング状であってもよいので、製品としては２種類可能なため、消費者は好みの構成を選択して購入し、使用できる。したがって、靴下のずり落ち防止の上でも、また装飾効果の上でも自由度が増える。
【考案を実施するための最良の形態】
【００１５】
次に本考案による足飾り兼用靴下留めが実際上どのように具体化されるか実施形態を説明する。図１は本考案による足飾り兼用靴下留めの第１実施形態を示す斜視図であり、リング状体１の全周に多数の垂下体２…を設けてある。リング状体１は、その中に弾力を持たせるためのゴム糸などが入っていてもよいし、リング状体の織り方や編み方の工夫によって伸縮性を持たせて、弾力を付与してもよい。あるいは、弾力は全く持たせない構成でもよい。特に、弾力の無い構成のために、リング状体１のサイズを、ＬＬ、Ｌ、Ｍ、Ｓなどのように各種用意しておくのもよい。
【００１６】
図２は、足飾り兼用靴下留めの第２実施形態を示す正面図であり、足に取付けた際にリング状体となるリング用帯体１ｒの全長にわたって多数の垂下体２…を設けてある。リング用帯体１ｒも、その中に弾力を持たせるためのゴム糸などが入っていてもよいし、リング用帯体１ｒの織り方や編み方の工夫によって伸縮性を持たせて、弾力を付与してもよい。あるいは、弾力は全く持たせない構成でもよい。リング用帯体１ｒの両端には、足に巻いて取付けた状態でリング状に維持できるように、両端同士を連結固定するための手段３１、３２を設けてある。例えば、連結固定手段３１、３２は、ボタンと該ボタンを嵌め込む切り目状の−孔でもよいし、ホックやフック、磁石、マジックテープ（登録商標）と呼ばれている面接着テープなどでもよく、特に限定はされない。
【００１７】
図３は図１、図２の足飾り兼用靴下留めを足に巻いて取付けた状態を示す斜視図である。４は足であり、靴や靴下を履いていない状態である。この足４の所望の高さにリング状体１又はリング用帯体１ｒを取付けてある。図１のリング状体１の場合は、その中に足４を挿入することによって、足４に取付けて巻き付けることができる。図２のリング用帯体１ｒの場合は、足４に巻き付けて両端の連結固定手段３１、３２同士を連結固定することによってリング状に形成され、取付け装着される。
【００１８】
このようにして足４に取付けた状態で歩いたりすると、相撲取りのまわしの前の下がりが揺れるように、各垂下体２…が揺れ動くことによって、美しく見え、装飾効果が増す。この垂下体２…は、貴金属製の鎖などでもよいし、多数のビーズその他の装飾小物に糸や紐などを挿通した構成などでもよい。又は、多数の短冊状体でもよく、特に限定はされない。短冊状体の場合は、それぞれの短冊状体に異なる模様や色彩を付すことによって、全体としてより美しい装飾効果を発揮できる。なお、各垂下体２…の間隔は任意であって、部分的に重ねた状態でリング状体１やリング用帯体１ｒに連結してもよい。各垂下体２…の長さも任意である。
【００１９】
本考案の足飾り兼用靴下留めは、このように足の装飾効果を発揮できるが、靴下の上からリング状体１やリング用帯体１ｒを巻き付けると、靴下をその上から締めつけることになるので、靴下のずり落ち防止の効果も奏する。したがって、古くてゴムの弾力が低下した靴下の上から取付けると、装飾効果とずり落ち防止を兼ねることができる。
【００２０】
図４は、足飾り兼用靴下留めの第３実施形態を示す斜視図であり、図１の各垂下体２…の下端にもリング状体１を連結してある。したがって、リング状体１を上下２段に有しているので、靴下の上から取付けた場合のずり落ち防止の効果がより確実となる。また、上段のリング状体１は素足の上に取付け、下段のリング状体１は靴下の上から取付けることもできる。この場合は、上段のリング状体１で下段のリング状体１を支持することによって、靴下のずり落ちをより効果的に防止できる。このように、上下にリング状体１が有る場合は、各垂下体２…は自由に派手に揺れることはできないが、足の動きによって各垂下体２…が微妙に変動するため、控えめな装飾効果を発揮でき、高齢者には好まれる。しかも、各垂下体２…の隙間から内側の靴下が見えるので、靴下の色彩との相乗効果も期待できる。
【００２１】
図２の各垂下体２…の下端にも、鎖線のように、リング用帯体１ｒを連結固定することによって、図４と同様の使い方ができる。この場合は、足４に巻いた状態で、上下２段のリング用帯体１ｒの両端の連結固定手段３１、３２同士を連結固定することによって、図４と全く同じ状態となる。なお、各垂下体２…の上下にリング状体１又はリング用帯体１ｒを設けた構成の場合は、男性が靴下のずり落ち防止に使用するのにも適している。上下にリング状体１やリング用帯体１ｒが有ると、ずり落ち防止の効果が大きく、また垂下体２…の揺れによる装飾効果は期待しないことが多いと思われるので、男性向きである。この場合は、垂下体２…の本数を少なくでき、数本でも足りる。
【００２２】
図１ないし図４の足飾り兼用靴下留めは、片足４に対し複数個取付けて使用することもできる。このとき、図４のように上下にリング状体１やリング用帯体１ｒを有する構成と、図１、図２のように上段にのみリング状体１やリング用帯体１ｒを有する構成とを重ねて又は上下にすらして用いてもよいが、同じ構成の足飾り兼用靴下留めを複数個用いてもよい。
【００２３】
このとき、複数の足飾り兼用靴下留めを重ねて取付けてもよいし、上下にずらして取付けてもよい。また、ずらす場合のずらし方やずらす程度などは自由に工夫し、選択できる。図５は、図４のように上下にリング状体１を有する足飾り兼用靴下留めを２個用いる場合の使い方を例示する図で、（１）（２）は上下にずらして用いる場合、（３）は重ねて用いる場合である。（１）（２）は、上側のリング状体１に対し下側のリング状体１を回転方向に多少ずらして、垂下体２…を意志的に斜めにして用いる場合である。
【００２４】
（１）は上側の足飾り兼用靴下留めも、下側の足飾り兼用靴下留めも共に、垂下体２…を同じ方向に傾斜させているのに対し、（２）は上側の足飾り兼用靴下留めと下側の足飾り兼用靴下留めとでは、逆方向にずらして、垂下体２…を逆向きに傾斜させている。なお、３個以上の足飾り兼用靴下留めを上下にずらして使用することもできる。これに対し、（３）の場合は、（２）のように逆方向にずらし、しかも重ねて使用する場合であり、垂下体２…がそれぞれ逆方向に傾斜して、網目状に見える。このように、複数の足飾り兼用靴下留めを使用すると、多種多用な使い方と装飾効果を楽しめるし、装飾効果のバラエティが豊かになり、靴下のずり落ち防止の効果もより確実になる。
【００２５】
以上の足飾り兼用靴下留めは、特に女性のおしゃれ用として適するが、リング状体１やリング用帯体１ｒに所定の間隔をおいてビーズＢなどを取付けると、特にこども用として好まれる。なお、垂下体２…にビーズなどを取付けてもよい。本発明の足飾り兼用靴下留めは、足の装飾に適するが、図３の足４に代えて腕に装着して使用することもできる。
【産業上の利用可能性】
【００２６】
以上のように、本考案による足飾り兼用靴下留めによると、足の装飾効果が大きく、しかもいろいろと豊富な装飾効果を楽しむことができる。しかも、靴下のずり落ち防止の効果も兼ねることができる。
【図面の簡単な説明】
【００２７】
【図１】本考案による足飾り兼用靴下留めの第１実施形態を示す斜視図である。
【図２】本考案による足飾り兼用靴下留めの第２実施形態を示す正面図である。
【図３】図１、図２の足飾り兼用靴下留めを足に巻いて取付けた状態を示す斜視図である。
【図４】足飾り兼用靴下留めの第３実施形態を示す斜視図である。
【図５】上下にリング状体を有する足飾り兼用靴下留めを２個用いる場合の使い方を例示する斜視図である。
【符号の説明】
【００２８】
１  リング状体
１ｒ  リング用帯体
２  垂下体
３１・３２  連結固定手段
４  足
Ｂ  ビーズ
【図１】
0003116072.tif 000003
【図２】
0003116072.tif 000004
【図３】
0003116072.tif 000005
【図４】
0003116072.tif 000006
【図５】
0003116072.tif 000007